(57)【特許請求の範囲】
【請求項１】
交流電源の電圧を直流電圧に整流する整流用ダイオードを備えた整流回路と、平滑用コンデンサと、前記直流電圧を指令値に応じて昇圧を行いながら交流電源の入力電圧波形と入力電流波形を一致させるＰＦＣ回路と、短絡および開放の切り替えが可能な充電用リレーと、前記充電用リレーの短絡と開放の切り替えを制御する制御部と、前記直流電圧により駆動する負荷とを備え、前記整流用ダイオードにファーストリカバリーダイオードを用い、前記整流回路内に、前記ファーストリカバリーダイオードに直列に前記ファーストリカバリーダイオードの溶断電流より低い溶断電流のヒューズを接続することを特徴とする空気調和機。
【請求項２】
前記平滑用コンデンサによって平滑された直流電圧を検知する電圧検知手段を備え、前記電圧検知手段で検知する電圧が設定値まで降下した場合に、前記負荷を停止させ、その後、前記充電用リレーを開放するとともに、前記電圧検知手段で検知する電圧が設定値以上まで上昇した場合には、前記充電用リレーを短絡し、その後、前記負荷の動作を開始することを特徴とする請求項１に記載の空気調和機。
【発明の詳細な説明】
【技術分野】
【０００１】
本発明は、力率改善手段を有する空気調和機に関するものである。
【背景技術】
【０００２】
従来から、交流電源の電圧を直流電圧に整流する整流用ダイオードと平滑用コンデンサからなる整流回路と、整流回路によって生成される直流電圧を指令値に応じて昇圧を行いながら交流電源の入力電圧波形と入力電流波形を一致させるＰＦＣ回路を有する空気調和機において、インバータ負荷のショートなどで大電流が整流回路へ流れ込み部品を破壊することを防止するために、整流用のダイオードは溶断電流の高いダイオードブリッジを採用することが一般的である（例えば、特許文献１参照）。
【０００３】
図３は、従来の電源回路の構成図である。図３に示すように、従来の電源回路は、交流電源１０１、充電用リレー１０２、整流用ダイオード１０３〜１０７、平滑用コンデンサ１０９、圧縮機等の負荷１１０、ＰＦＣ回路１１２で構成されている。
【先行技術文献】
【特許文献】
【０００４】
【特許文献１】特開２０００−１４１９３号公報
【発明の概要】
【発明が解決しようとする課題】
【０００５】
しかしながら、一般的に、ダイオードブリッジの逆回復時間は遅く、高速スイッチングを行うＰＦＣ回路の逆回復電流を抑制することができず、ノイズレベルを減衰することができないため、ノイズ除去のために高価なフェライトコア等を追加することになる。
【０００６】
そこで、低ノイズおよび高効率化を実現するために、整流用ダイオードに逆回復時間の早いＦＲＤのようなディスクリートタイプのダイオードを使用して整流回路を構成するという方法が考えられるが、ディスクリートタイプのＦＲＤは構造上、内部ボンディングワイヤーの溶断電流が低く、インバータ負荷のショートなどで大電流がＦＲＤに流れ込むと、ボンディングワイヤーが溶断し、ＦＲＤが激しく破壊してしまうという課題を有していた。
【０００７】
本発明は、前記従来の課題を解決するもので、ＦＲＤを使用したダイオードブリッジ形の整流回路を有する空気調和機において、ＦＲＤと直列にヒューズを追加することで、インバータ負荷ショート時の大電流が流れ込んだ場合であっても、安全に電子制御装置を停止させることができる空気調和機を提供することを目的とする。
【課題を解決するための手段】
【０００８】
前記従来の課題を解決するために、本発明の空気調和機は、交流電源の電圧を直流電圧に整流する整流用ダイオードを備えた整流回路と、平滑用コンデンサと、直流電圧を指令値に応じて昇圧を行いながら交流電源の入力電圧波形と入力電流波形を一致させるＰＦＣ回路と、短絡および開放の切り替えが可能な充電用リレーと、充電用リレーの短絡と開放の切り替えを制御する制御部と、直流電圧により駆動する負荷とを備え、整流用ダイオードにファーストリカバリーダイオードを用い、整流回路内に、ファーストリカバリーダイオードに直列にファーストリカバリーダイオードの溶断電流より低い溶断電流のヒューズを接続することにより、インバータ負荷ショート時の大電流が流れ込んだ場合にＦＲＤの内部ボンディングワイヤーよりもヒューズを先に溶断させ、安全に電子制御装置を停止さ
せることが可能となる。
【発明の効果】
【０００９】
本発明は、ＦＲＤと直列にヒューズを追加することで、インバータ負荷ショート時の大電流が流れ込んだ場合であっても、安全に電子制御装置を停止させることができる空気調和機を提供することができる。
【図面の簡単な説明】
【００１０】
【図１】本発明の実施の形態１における空気調和機の電源回路の構成図
【図２】同実施の形態１における制御のフロー図
【図３】従来の空気調和機の電源回路の構成図
【発明を実施するための形態】
【００１１】
第１の発明の空気調和機は、交流電源の電圧を直流電圧に整流する整流用ダイオードを備えた整流回路と、平滑用コンデンサと、直流電圧を指令値に応じて昇圧を行いながら交流電源の入力電圧波形と入力電流波形を一致させるＰＦＣ回路と、短絡および開放の切り替えが可能な充電用リレーと、充電用リレーの短絡と開放の切り替えを制御する制御部と、直流電圧により駆動する負荷とを備え、整流用ダイオードにファーストリカバリーダイオードを用い、整流回路内に、ファーストリカバリーダイオードに直列にファーストリカバリーダイオードの溶断電流より低い溶断電流のヒューズを接続することにより、インバータ負荷ショート時の大電流が流れ込んだ場合にＦＲＤの内部ボンディングワイヤーよりもヒューズを先に溶断させ、安全に電子制御装置を停止させることが可能となる。
【００１２】
第２の発明の空気調和機は、特に第１の発明において、平滑用コンデンサによって平滑された直流電圧を検知する電圧検知手段を備え、電圧検知手段で検知する電圧が設定値まで降下した場合に、負荷を停止させ、その後、充電用リレーを開放するとともに、電圧検知手段で検知する電圧が設定値以上まで上昇した場合には、充電用リレーを短絡し、その後、負荷の動作を開始することにより、瞬時停電復帰のコンデンサ充電時に大きな突入電流を流さないようにし、溶断電流値の小さいヒューズを溶断させずに、安全に空気調和機を運転することが可能となる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の電源回路の構成図である。
【００１５】
図１において、交流電源１の電圧を整流用ダイオード３〜６によって直流電圧に整流し、平滑用コンデンサ９によって直流電圧を平滑する。また、ＰＦＣ回路１２を有する。
【００１６】
そして、平滑された直流電圧（以下、ＤＣ電圧）をインバータ制御することにより、圧縮機やファンモータ等の負荷１０を駆動する。
【００１７】
また、整流用ダイオード３と５には、ＰＦＣ回路１２のスイッチングノイズ低減用に逆回復時間の早いディスクリートタイプのファーストリカバリーダイオード（以下、ＦＲＤ）を使用し、整流回路内にはＦＲＤと直列にＦＲＤのボンディングワイヤーの溶断電流より低い溶断電流のヒューズ７およびヒューズ８が取り付けられている。また、整流用ダイオード４と６には、一般的なダイオードが用いられている。
【００１８】
そして、負荷１０が何らかの原因で破壊し、短絡状態になった場合、大電流が整流回路側に流れ込むことになる。しかし、溶断電流値が低いヒューズ７や８がＦＲＤのボンディングワイヤーが溶断するよりも早く溶断するため、ＦＲＤの破壊による発煙・発火を防止
し、安全に電子制御装置を停止させることを可能とする。
【００１９】
図２は実施の形態１における瞬停時の突入電流を抑制する制御のフロー図である。なお、本実施の形態における電圧検知手段は、制御部１１がその機能を兼ねている。
【００２０】
交流電源が何らかの理由により、瞬時停電することは日常想定される出来事である。しかしながら、このような瞬時停電から復帰する時は、平滑用コンデンサ９に充電電圧が少ないため、平滑コンデンサを充電するために大きな突入電流が流れ込むことになる。
【００２１】
ところが、ヒューズ７およびヒューズ８は溶断電流値の低いものを選定しており、この突入電流により溶断する可能性がある。ヒューズが溶断すると電子制御装置は起動せず、空気調和機は運転することができない。
【００２２】
そこで、短絡および開放の切り替えが可能な充電用リレー２を、ＤＣ電圧が設定値まで降下した場合に圧縮機やファンモータ等の負荷１０を停止し、負荷が停止した後で開放し、ＤＣ電圧が設定値以上になると短絡する構成としている。
【００２３】
まず、図２において、電圧検知手段を備えた制御部によりＤＣ電圧を検出し(Ｓ２１) が、設定値以下かどうか判定（Ｓ２２）し、設定値以下でないと判定された場合には動作を継続する。
【００２４】
そして、設定値以下であると判定された場合には、圧縮機やファンモータ等の負荷１０が駆動中かどうかを判定（Ｓ２３）し、駆動中でないと判定された場合には充電用リレー２を開放（Ｓ２５）し、駆動中であると判定された場合には、圧縮機やファンモータ等の負荷１０を停止（Ｓ２４）し、負荷１０が停止した後で充電用リレー２を開放（Ｓ２５）する。
【００２５】
また、充電用リレー２を開放（Ｓ２５）した後、ＤＣ電圧検知を備えた制御部１１により検知されたＤＣ電圧（Ｓ２６）が、設定値以上であり、かつ、負荷１０が停止してから所定時間以上が経過しているかどうかを判定（Ｓ２７）し、条件を満たさない場合は、充電用リレーを開放した状態を継続する。
【００２６】
また、Ｓ２７において条件を満足する場合、すなわちＤＣ電圧が設定値以上であり、かつ負荷１０の停止から所定時間以上が経過していると判定された場合には、まず充電用リレー２を短絡（Ｓ２８）し、その後で、瞬停発生前の圧縮機やファンモータ等の負荷１０が駆動中か判定（Ｓ２３）時に、駆動中であると判定された場合には、負荷１０を駆動する（Ｓ２９）構成としている。
【００２７】
このことにより、瞬停復帰後に前記充電用リレー２が開放の状態で負荷１０が復帰し駆動することで負荷１０が消費する電力を賄うための大電流が整流回路に流れることを防ぎ、ＦＲＤ保護用のヒューズの溶断防止することが可能となる。
【産業上の利用可能性】
【００２８】
本発明は、ダイオードブリッジ方式の整流回路を有する全ての空気調和機に適用できる。
【符号の説明】
【００２９】
１  交流電源
２  充電用リレー
３  整流用ダイオード
４  整流用ダイオード
５  整流用ダイオード
６  整流用ダイオード
７  ヒューズ
８  ヒューズ
９  平滑用コンデンサ
１０  負荷
１１  制御部
１２  ＰＦＣ回路
【図１】
0005793646.tif 000002
【図２】
0005793646.tif 000003
【図３】
0005793646.tif 000004